(57)【特許請求の範囲】
【請求項１】
金属が混入又は付着した被選別物を水平方向への移動を伴うよう移動させる移動手段と、
該移動手段の下流に設けられ、垂直方向に貫通するとともに内面に帯電防止層が形成されている筒状の貫通路を有する金属探知器と、
該金属探知器の下流に設けられ、金属を含む選別物と、金属を含まない選別物とを分離する金属分離装置と、を有する選別装置において、
前記被選別物が、前記移動手段の下流側端部から水平方向への移動を伴いながら重力降下するよう構成され、
前記被選別物の重力落下軌道が前記貫通路の内面に接しない位置に、前記重力落下軌道を変化させる整流板を前記貫通路の上流側に設けたことを特徴とする選別装置。
【請求項２】
前記移動手段は、前記被選別物を水平方向へ搬送する搬送手段、搬送方向へ回動しながら周面で磁性金属物を除去する円筒状の回転筒を有する磁性物除去機、又はそれらの組み合わせであることを特徴とする請求項１に記載の選別装置。
【請求項３】
前記被選別物は、粉末又は粒状の食品であることを特徴とする請求項１又は請求項２に記載の選別装置。
【請求項４】
前記磁性物除去機は、前記回転筒の内側に第１磁石を配し、前記回転筒の表面で磁性物を受け取り、磁性物を含む選別物を不良品通路へ排出するように構成され、
該不良品通路の内側には、外部に取り出し可能な第２磁石を配したことを特徴とする請求項２に記載の選別装置。
【発明の詳細な説明】
【技術分野】
【０００１】
本発明は、金属が混入又は付着した選別物を分離する選別装置に関する。
【背景技術】
【０００２】
例えば、粉末又は粒状のインスタント食品、調味料等の食品原料の製造工程において、食品原料中に含まれる不純物を検出し、選別するための選別装置が知られている。不純物の中でも金属不純物を選別する金属探知器は、一般的に電磁場を発生させる発信用コイル及び該発信用コイルから発生した電磁波によって電圧を励起する受信用コイルを有している。金属探知器は、受信用コイルの出力電圧差を検知することにより金属不純物の混入を判断する。
【０００３】
金属探知器を有する選別装置は、製品の製造効率の向上の観点から通常、製品を搬送しながら、選別する方法が用いられている。例えば、特許文献１に開示される選別装置が知られている。特許文献１は、内側で金属を検知する筒状の貫通部を有する金属探知器について開示する。貫通部は、上下方向に開口部を有し、被選別物を重力落下させながら通過させる。
【０００４】
食品原料等の被検出物は、金属探知器以外に他の検知器を通過したり、様々な製造工程から搬送する必要があるため、製造効率の観点から横方向（水平方向）への移動を伴いながら重力降下させ、金属探知器の筒状貫通部を通過するよう構成されている選別装置が知られている。例えば、特許文献２の選別装置は、金属探知器の上流側において磁石を内側に配する円筒状の回転筒を有する磁性物除去機を有している。回転筒が回転しながらその上部周面を被検出物が通過するため、被検出物は遠心力により次工程において横方向への移動を伴いながら重力降下し、金属探知器の筒状貫通部を通過するように構成されている。
【先行技術文献】
【特許文献】
【０００５】
【特許文献１】特開２００６−３３４５５９号公報
【特許文献２】特開２００５−３４２６５１号公報
【発明の概要】
【発明が解決しようとする課題】
【０００６】
ところが、検出物が横方向への移動を伴いながら重力降下し、金属探知器の筒状貫通部を通過するように構成されている選別装置は、被検出物中の金属が誤検出される場合があった。それにより、良品が不良品として選別され、生産効率が低下する場合があるという問題があった。
【０００７】
本発明の目的とするところは、金属探知器の誤検出を低減することができる選別装置を提供することにある。
【課題を解決するための手段】
【０００８】
本発明は、金属探知器の貫通路内面の帯電防止層が、重力降下する被検出物の連続的な接触により剥離するために静電気が発生し、金属探知器の誤検出が生ずることを見出したことに基づくものである。
【０００９】
上記目的を達成するために、本発明の一態様では、金属が混入又は付着した被選別物を水平方向への移動を伴う移動手段と、該移動手段の下流に設けられ、垂直方向に貫通するとともに内面に帯電防止層が形成されている筒状の貫通路を有する金属探知器と、該金属探知器の下流に設けられ、金属を含む選別物と、金属を含まない選別物とを分離する金属分離装置と、を有する選別装置において、前記被選別物が、前記移動手段の下流側端部から水平方向への移動を伴いながら重力降下するよう構成され、前記被選別物の重力落下軌道が前記貫通路の内面に接しない位置に、前記重力落下軌道を変化させる整流板を前記貫通路の上流側に設けたことを特徴とする選別装置が提供される。
【００１０】
前記移動手段は、前記被選別物を水平方向へ搬送する搬送手段、搬送方向へ回動しながら周面で磁性金属物を除去する円筒状の回転体を有する磁性物除去機、又はそれらの組み合わせでもよい。前記被選別物は、粉末又は粒状の食品であってもよい。前記磁性物除去機は、前記回転筒の内側に第１磁石を配し、前記回転筒の表面で磁性物を受け取り、磁性物を含む選別物を不良品通路へ排出するように構成され、該不良品通路の内側には、外部に取り出し可能な第２磁石を配してもよい。
【発明の効果】
【００１１】
本発明によれば、金属探知器の誤検出を低減することができる。
【図面の簡単な説明】
【００１２】
【図１】本実施形態の選別装置の概略構成を示す側面図。
【図２】本実施形態の選別装置の排出管におけるＡ−Ａ断面図。
【図３】（ａ）〜（ｃ）別例としての整流板の断面図。
【発明を実施するための形態】
【００１３】
以下、本発明を具体化した選別装置の一実施形態を図１，２にしたがって説明する。
図１に示すように、選別装置１０の搬送手段としての搬送ベルト１１は、無端状のベルトであり、搬送方向の上流及び下流側に一対配されている駆動ロール１２，１３に巻き付けられている。駆動ロール１２，１３は、図示しない選別装置１０の本体に回動可能に取り付けられている。搬送ベルト１１の搬送方向の上流側の上方には、ホッパー１４が選別装置１０の本体に固定され、ホッパー１４の下端部には金属が混入又は付着した被選別物を搬送ベルト１１上に吐出量を調整しながら吐出する吐出口１５が設けられている。なお、搬送ベルト１１の搬送方向下流側が選別装置１０の前側、上流側が後ろ側とし、選別装置１０を前側から見たとき両側方向を選別装置１０の左右方向という。
【００１４】
搬送方向の下流側に設けられる駆動ロール１３の下方には、選別装置１０の本体に固定されている磁性物除去機１６が配されている。磁性物除去機１６は、搬送ベルト１１とともに、被選別物を水平方向（Ｘ軸方向）への移動を伴う移動手段を構成する。磁性物除去機１６は、選別装置１０の左右長手方向に軸線方向が配され、搬送方向へ回動しながら周面で磁性金属物を検出する円筒状の回転筒１６ａと、該回転筒１６ａの内部に第１磁石として竹割り半弧状の永久磁石１６ｂが設けられている。回転筒１６ａの回転中心軸は、搬送方向と直行する選別装置１０の左右長手方向に配されている。永久磁石１６ｂは、選別装置１０の前側、つまり回転筒１６ａの被選別物の搬送側において、回転筒１６ａの上端付近から下端付近にかけて回転筒１６ａの内周面に沿うように配されている。磁性物除去機１６は、被選別物中に不純物として混入される金属の中でも磁性物を選別する。磁性物としては、特に限定されないが、例えば鉄、ステンレス、コバルト、ニッケル、酸化鉄等が挙げられる。回転筒１６ａの磁性体の非検出側の周面上には、付着物分離用スクレーパ１７が選別装置１０の本体を介し取り付けられている。
【００１５】
磁性物除去機１６の前側下方には、磁性物が含まれない非磁性物からなる被選別物を落下させる非磁性物通路１８、磁性物除去機１６の後方側の下方には、磁性物、又は磁性物が混入若しくは付着した選別物を落下させる不良品通路１９がそれぞれ設けられている。
【００１６】
非磁性物通路１８と不良品通路１９の間には、選別装置１０の左右方向に延びる平板状の磁性物分離板２１が支軸２０を介し取り付けられている。支軸２０は、非磁性物通路１８と不良品通路１９の境界において回動可能に備え付けられ、磁性物分離板２１の下端部と連結されている。磁性物分離板２１は、支軸２０を中心に所定角度の範囲内で揺動可能に取り付けられている。磁性物分離板２１を境として、永久磁石１６ｂにより分離された磁性物、又は磁性物が混入若しくは付着した被選別物と、磁性物が混入又は付着していない被選別物とを分離する。磁性物分離板２１の傾斜角度は、磁性物及び被選別物の種類や大きさ、回転筒１６ａの速度等に応じて適宜調節される。角度調節後、磁性物分離板２１は配置角度で固定できるように構成されている。
【００１７】
不良品通路１９は、選別装置１０の左右方向及び前後方向から下方へ縮径するテーパ部１９ａと該テーパ部１９ａと連通し、垂直下方へ延びる円筒状の排出管１９ｂから構成されている。排出管１９ｂの下端部には不良品受け２２が取り付けられている。排出管１９ｂの不良品受け２２に向かう途中の内側には、外部に取り出し可能な複数の棒状の第２磁石２３が配されている。
【００１８】
図２に示されるように、第２磁石２３は、排出管１９ｂの軸線と直交する平面上に所定間隔を空けて３本平行に配されている。第２磁石２３は、それぞれ第２磁石２３の長手方向にスライドさせることにより外部に取り出し可能に構成されている。
【００１９】
非磁性物通路１８は、垂直下方へ延び、水平方向における断面が四角筒状に構成されている。非磁性物通路１８の下端部には、シュート型の金属探知器２４が取り付けられている。金属探知器２４は、上下方向に貫通する断面四角筒状の貫通路２４ａ及び該貫通路２４ａが挿通される金属探知器本体２４ｂから構成される。貫通路２４ａは、上端から下端まで内径が略同一となるように構成されている。
【００２０】
貫通路２４ａは、上端部において非磁性物通路１８の下端部と連通し、使用の際、被選別物を落下通過させる。貫通路２４ａの内周面は、帯電防止層が形成されている。帯電防止層は、公知の方法、例えば帯電防止剤の塗布、又は帯電防止フィルムの積層等により形成することができる。帯電防止剤としては、特に限定されず、公知のもの、例えばカチオン性界面活性剤、第四級アンモニウムイオン、カーボン系粉末材料等を使用することができる。また、帯電防止層は、公知の導電性樹脂により構成してもよい。
【００２１】
貫通路２４ａの上流側にある非磁性物通路１８の選別装置１０前側の内面には、選別装置１０の左右長手方向に延びる平板状の整流板２５が取り付けられている。整流板２５は、被選別物が接触する接触面２５ａを磁性物除去機１６側に向け、斜め下方に傾斜し、また、整流板２５の長手方向が、磁性物除去機１６の長手方向と平行になるように固定されている。整流板２５により、磁性物除去機１６による磁性物除去後の被選別物の重力落下軌道が貫通路２４ａの内面に接しない位置に、重力落下軌道を変化させる。尚、被選別物の重力落下軌道とは、所定の厚みを伴って搬送される粉末又は粒状の被選別物が連続して落下する際の水平移動方向の前後の厚み幅の中心部、つまり前後方向の垂直断面の幅の中心部の軌道を示す。
【００２２】
金属探知器本体２４ｂには、図示しない電磁場を発生するための発振用コイル、該発振用コイルにより発生した電磁場によって電圧を励起する受信用コイル、及び該発振用コイルと受信用コイルをそれぞれ接続する制御装置が設けられている。金属探知器２４は、磁性物除去機１６を通過した後の磁性物が混入及び付着しておらず、非磁性金属が混入又は付着している被選別物が、貫通路２４ａ内を通過して、受信用コイルの出力電圧差が所定のしきい値を超えたときに、非磁性金属の検知信号を制御装置に送出するよう構成されている。金属探知器２４により検出される非磁性金属は、特に限定されないが、例えばアルミニウム、銅等が挙げられる。貫通路２４ａの入り口には、発振用コイルからの電磁場の漏れを抑制する図示しないステンレス製リングが取り付けられている。なお、金属探知器２４は、磁性金属が通過した場合であっても検知信号を制御装置に送出することができる。
【００２３】
貫通路２４ａの下端部には、金属探知器２４を通過した被選別物を、非磁性金属を含む不良品の選別物と非磁性金属を含まない良品の選別物とに分離する非磁性金属分離装置２６が設けられている。非磁性金属分離装置２６は、貫通路２４ａの下端部と連通する良品通路２７と、該良品通路２７と貫通路２４ａの間において非磁性金属分離板２８を介して分岐している不良品通路２９から構成されている。
【００２４】
非磁性金属分離板２８の下端部は、良品通路２７と不良品通路２９の間の境界において回動可能に備え付けられている支軸３０と連結されている。非磁性金属分離板２８は、支軸３０を中心に不良品通路２９を閉鎖して貫通路２４ａと良品通路２７を連通させる位置と、良品通路２７を閉鎖して貫通路２４ａと不良品通路２９を連通させる位置との間を、揺動可能に取り付けられている。
【００２５】
良品通路２７と不良品通路２９は、それぞれ選別装置１０の左右方向から下方へ縮径するテーパ状に構成されている。不良品通路２９の下端部には、不良品受け３１が取り付けられている。
【００２６】
上記実施形態の選別装置１０を用いた選別方法について説明する。
まず、ホッパー１４の吐出口１５から金属が混入又は付着した被選別物が回動している搬送ベルト１１の上流側に連続投与される。搬送ベルト１１上の被選別物の厚みは、特に限定されず、被選別物の種類又は大きさ、不良品の検出又は除去効率等の観点から適宜実用上の範囲内において設定される。搬送ベルト１１上の被選別物は、搬送方向の上流側から下流の端部側へ水平方向への移動を伴いながら搬送される。図１に示されるように、次に被選別物は、搬送ベルト１１の駆動ロール１３側の端部、つまり搬送ベルト１１の下流側端部Ａから、重力降下軌道が矢印Ｘ１に従って水平方向の移動を伴いながら回転している回転筒１６ａの上面へ落下する。
【００２７】
図１に示されるように、回転筒１６ａは、上面部分が選別装置１０の前面側へ移動する方向（矢印Ｙ方向）に所定の速度で回転している。そのため、非磁性物からなる被選別物は、回転筒１６ａの遠心力により回転筒１６ａの表面上から離れる端部（下流側端部Ｂ）から、重力降下軌道が矢印Ｘ２に従って水平方向への移動を伴いながら非磁性物通路１８内に重力降下する。
【００２８】
磁性物、又は磁性物が混入若しくは付着した被選別物は、永久磁石１６ｂにより回転筒１６ａ表面に付着した状態で、磁性物分離板２１後方の不良品通路１９側へ分離される。不良品通路１９側へ移動した磁性物、又は磁性物が混入若しくは付着した被選別物は、回転筒１６ａの回転移動に伴い永久磁石１６ｂから離れ、回転筒１６ａの表面から不良品通路１９へ落下する。回転筒１６ａの表面上に付着している選別物は、付着物分離用スクレーパ１７により剥離される。なお、搬送ベルト１１の搬送速度及び回転筒１６ａの周面上の速度（回転筒１６ａの回転速度）は、特に限定されず、被選別物の種類、大きさ等により適宜設定される。不純物の検出・除去精度及び製造効率等の観点から、好ましくは１０ｃｍ／秒〜３００ｃｍ／秒の範囲から選択される。不良品通路１９側に落下した被選別物は、排出管１９ｂの内側の第２磁石２３において磁性物が吸着された後、残渣が排出管１９ｂの下端部の不良品受け２２に収容される。
【００２９】
回転筒１６ａの下流側端部Ｂから重力降下軌道が矢印Ｘ２に従って水平方向への移動を伴いながら非磁性物通路１８内に重力降下した被選別物は、整流板２５の接触面２５ａに当接した後、重力降下軌道が変化し、重力降下軌道矢印Ｘ３に従いながら、貫通路２４ａの内側に向け落下し、貫通路２４ａを通過する。
【００３０】
被選別物が貫通路２４ａを通過する際、制御装置が被選別物中の非磁性金属の検知信号を受信しないとき、制御装置は非磁性金属分離装置２６の非磁性金属分離板２８に対して非磁性金属排出指令を出力せず、非磁性金属分離板２８は不良品通路２９を閉鎖する位置を維持する。そして、非磁性金属を含まない良品の選別物が良品通路２７へ落下する。
【００３１】
一方、金属探知器２４の制御装置が非磁性金属の検知信号を受信すると、制御装置は非磁性金属分離装置２６の非磁性金属分離板２８に対して非磁性金属排出指令を出力する。非磁性金属分離板２８は、この非磁性金属排出指令に基づいて、非磁性金属が通過するタイミングで、良品通路２７を閉鎖し、不良品通路２９と貫通路２４ａとを連通させる方向に揺動させる。非磁性金属を含む不良品の選別物は、不良品通路２９を通過して不良品受け３１内に集積される。
【００３２】
上記実施形態の選別装置１０の作用について説明する。
上記実施形態の選別装置１０において、回転筒１６ａの下流側端部Ｂからの重力落下軌道が水平方向への移動を伴いながら非磁性物通路１８内に重力降下した被選別物は、整流板２５の接触面２５ａに当接した後、重力落下軌道が矢印Ｘ３に従って貫通路２４ａの内側に向け落下し、貫通路２４ａを通過するよう構成した。例えば、整流板２５を設けず、回転筒１６ａの下流側端部Ｂから重力落下軌道がＸ２に従って水平方向への移動を伴いながら、そのまま貫通路２４ａ内に落下した場合、重力落下軌道がＸ２は、貫通路２４ａの内面に当接する。特に、被選別物が連続して落下する場合、貫通路２４ａの内面に形成されている帯電防止層が剥離するおそれがある。帯電防止層の剥離により、貫通路２４ａの内面に静電気が発生するため、それにより金属探知器２４に誤検出が生ずるおそれがある。
【００３３】
整流板２５の接触面２５ａにより、被選別物の重力落下軌道が変更され、貫通路２４ａの内面への被選別物の連続的な落下接触を回避又は減少させることができる。なお、上述したように、被選別物の重力落下軌道とは、所定の厚みを伴って搬送される粉末又は粒状の被選別物が連続して落下する際の水平移動方向の前後厚み幅の中心部、つまり落下する被選別物の前後方向の垂直断面の幅の中心部の軌道を示す。そのため、本実施形態において、舞い上げ等により貫通路２４ａの内面に当接して落下する被選別物の存在を否定するものではない。重力落下して貫通路２４ａを通過する被選別物のうち、貫通路２４ａの内面に接触しない被選別物の割合は、好ましくは７０質量％以上、より好ましくは８０質量％以上、さらに好ましくは９０質量％以上である。かかる割合が高くなるにつれ、貫通路２４ａの内面の帯電防止層の剥離をより防止することができる。
【００３４】
本実施形態の選別装置１０によれば、以下のような効果を得ることができる。
（１）本実施形態の選別装置１０では、整流板２５により、被選別物の重力落下軌道を変更させ、貫通路２４ａの内面への被選別物の連続的な落下接触を回避又は減少させた。したがって、貫通路２４ａの内面に形成されている帯電防止層の剥離を抑制することができる。よって、金属探知器の誤検出を低減することができる。
【００３５】
（２）被選別物の重力落下軌道を変更させる整流板２５を板状に構成し、非磁性物通路１８の内面に取り付けた。したがって、被選別物の種類や大きさ、又は回転筒１６ａの回転速度を変更した場合に、整流板２５の傾斜角度又は取り付け位置を容易に変更することができ、また被選別物の落下軌道を容易に調整することができる。また、整流板２５が板状の形状のため、貫通路２４ａの上端開口部を縮径させる構成に比べて、貫通路２４ａの上端開口部で被選別物の落下速度が低下したり、目詰まりするおそれがない。
【００３６】
（３）本実施形態において、不良品通路１９側に落下した被選別物は、不良品受け２２に収容される前に、排出管１９ｂの内側に配されている第２磁石２３を通過するよう構成した。したがって、磁性体を容易に見つけ出すことができる。つまり、通常不良品として分離される全ての被選別物と磁性体の混合物の中から、磁性体のみを取り出すことは容易ではない。不良品通路１９の通路の途中に配される第２磁石２３が２次選別の役割を果たすため、第２磁石２３に付着した磁性体を、第２磁石２３ごと排出管１９ｂの外部へ取り出すことにより、磁性体を容易に見つけ出すことができる。
【００３７】
なお、上記実施形態は以下のように変更してもよい。
・整流板２５は、傾斜角度を変更したり、上下方向における取り付け位置を変更するための変更手段を介して非磁性物通路１８内に取り付けてもよい。
【００３８】
・整流板２５の形状は板状であれば、特に限定されない。図３（ａ）〜（ｃ）に示されるように、例えば長手方向や被選別物が落下する方向における垂直断面が、波状の板３２、連続した山状の板３３、連続した竹割り半弧状の板３４、若しくはそれらの組み合わせ、又はそれらを一部に含むものであっても板状に含めるものとする。
【００３９】
・搬送ベルト１１の代わりに、水平方向の移動手段としてスクリューフィーダ、振動フィーダ、エアフィーダ等を使用してもよい。
・上記実施形態において、移動手段は、各種目的に応じて搬送ベルト１１及び磁性物除去機１６のいずれか一方のみから構成されてもよい。磁性物除去機１６を省略する場合、金属を含む被選別物は、搬送ベルト１１の下流側端部Ａから、重力降下軌道が矢印Ｘ１に従い水平方向の移動を伴いながら整流板２５の接触面２５ａに落下する。そして、被選別物は、重力降下軌道が貫通路２４ａの内面に接しないように通過する。
【００４０】
・上記実施形態において、金属が混入又は付着した被選別物を水平方向へ移動させる移動手段として、搬送ベルト１１及び磁性物除去機１６の構成を採用した。水平方向への移動は、水平方向（Ｘ軸方向）の移動を含んでいればよく、斜め下方又は上方に傾斜してもよい。
【００４１】
・磁性物除去機１６を構成する永久磁石１６ｂの種類は、特に限定されず、電磁石等の永久磁石以外の構成であってもよい。
・磁性物分離板２１を支持する支軸２０自体を選別装置１０の前後方向に移動可能に構成してもよい。
【００４２】
・貫通路２４ａの内面は、被選別物の重力落下軌道と接触しないように、下方へ向かうに従い拡径するよう構成してもよい。また、貫通路２４ａを被選別物の重力落下軌道と接触しないように、傾けて取り付けてもよい。
【００４３】
・貫通路２４ａの材質は、合成樹脂製であれば、特に限定されない。合成樹脂としては、例えばポリカーボネート、ポリエステル、ポリ塩化ビニル、ポリエチレン等が挙げられる。
【００４４】
・上記実施形態において、被選別物と大きさが異なる異物を選別するために、磁性物除去機１６の上流側に所定メッシュの篩からなる形状選別機を設けてもよい。また、軽い異物、例えば髪の毛、ビニル片等を選別するために、風力選別機を設けてもよい。また、金属探知器２４の良品通路の下流側に、さらに非磁性異物を検知・選別するためにＸ線検知器を設けてもよい。
【００４５】
・上記実施形態の選別装置１０が適用される被選別物の種類は特に限定されない。例えば、所定の粒子径からなる粉末状又は粒状の食品、医薬品、化粧品、化成品、又はそれらの原料等が挙げられる。食品又はその原料としては、例えば乾燥野菜・海藻類、トウモロコシ等の穀物粉、各種調味料、各種インスタント食品の原料等が挙げられる。
【００４６】
・被選別物の形態及び大きさは、特に限定されないが、金属探知器２４による連続的な検知が容易な粉末状又は粒状の被選別物が適用されることが好ましい。具体的には、篩分け法により測定される平均粒子径が好ましくは５０μｍ〜５ｃｍ、より好ましくは５００μｍ〜５ｍｍ程度の大きさの範囲内であれば適宜採用することができる。尚、粉末状又は粒状には、例えば造粒した顆粒状、粉砕したもの、微細化したもの等を含むものとする。
【００４７】
・上記実施形態の選別装置１０は、各種製品の製造工程のみならず、ゴミ、産業廃棄物等の廃棄物から金属を選別するために使用してもよい。
・第２磁石２３の配置位置、形状又は本数は、不良品通路１９を通過する磁性体を付着可能に構成できれば、特に限定されない。不良品通路１９上に、外部に取り出し可能な磁石を複数箇所に配してもよい。かかる場合、磁性体をより確実に見つけ出すことができる。
【００４８】
・上記実施形態は、整流板２５により被選別物の重力落下軌道を修正した。参考例として、整流板２５の代わりに、風圧等の気流、静電気等を用いて被選別物の重力落下軌道を修正してもよい。
【００４９】
次に、上記実施形態及び別例から把握できる技術的思想について、それらの効果とともに以下に追記する。
（ａ）前記整流板は、平板状、波板状、連続した山状、連続した竹割り半弧状、又はそれらの組み合わせの形状を含む選別装置。
【符号の説明】
【００５０】
１０…選別装置、１１…搬送手段としての搬送ベルト、１６…移動手段としての磁性物除去機、１６ａ…回転筒、１６ｂ…第１磁石としての永久磁石、１８…非磁性物通路、１９…不良品通路、２３…第２磁石、２４…金属探知器、２４ａ…貫通路、２５，３２，３３，３４…整流板、２６…非磁性金属分離装置、２７…良品通路、２８…非磁性金属分離板、２９…不良品通路。
【図１】
0006502155.tif 000002
【図２】
0006502155.tif 000003
【図３】
0006502155.tif 000004